(57)【要約】【課題】メールの送り主や受取先に特有のメールを作成する。【解決手段】携帯端末１００であって、操作入力部４により入力された文字列を、テーブル管理部３に記憶されている変換テーブル３ａに基づいて変換候補の中から所定の表示内容に変換する文字列変換部２ａと、電子メールの送り主及び受取先のうち、少なくとも一方に対応するように、文字列変換部により変換テーブルに基づいて変換される文字列の変換候補の内容を設定する変換候補設定制御部２ｂとを備える。【選択図】図１
2012014311.tif 000002
【特許請求の範囲】
【請求項１】
所定の文字列と、当該文字列の変換候補としての表示内容とが対応付けられた変換テーブルを記憶する記憶手段と、
メールの作成の際に、前記文字列を入力する入力手段と、
この入力手段により入力された前記文字列を、前記記憶手段に記憶されている前記変換テーブルに基づいて前記変換候補の中から所定の表示内容に変換する変換手段と、
前記メールの送り主を特定する文字列及び受取先を特定する文字列のうち、少なくとも一方に対応するように、前記変換手段により前記変換テーブルに基づいて変換される前記文字列の変換候補の内容を設定する設定制御手段と、
を備えたことを特徴とするメール作成装置。
【請求項２】
前記変換テーブルは、更に、
前記メールの送り主を特定する文字列と、前記文字列の表示態様の変換候補としての当該メールの送り主固有の表示内容とが対応付けられ、
前記設定制御手段は、
前記入力手段により入力された前記文字列が前記メールの送り主を特定する文字列であるか否かを判定する第１判定手段を有し、この第１判定手段により前記文字列が前記メールの送り主を特定する文字列であると判定された場合に、前記変換手段により前記変換テーブルに基づいて変換される前記文字列の変換候補として、前記メールの送り主固有の表示内容を設定することを特徴とする請求項１に記載のメール作成装置。
【請求項３】
前記第１判定手段は、
所定の通信回線を介して送信される前記メールの送り主のアドレス情報に基づいて、前記入力手段により入力された前記文字列が前記メールの送り主を特定する文字列であるか否かを判定することを特徴とする請求項２に記載のメール作成装置。
【請求項４】
前記変換テーブルは、更に、
前記メールの受取先を特定する文字列と、前記文字列の変換候補としての当該メールの受取先固有の表示内容とが対応付けられ、
前記設定制御手段は、
前記入力手段により入力された前記文字列が前記メールの受取先を特定する文字列であるか否かを判定する第２判定手段を有し、この第２判定手段により前記文字列が前記メールの受取先を特定する文字列であると判定された場合に、前記変換手段により前記変換テーブルに基づいて変換される前記文字列の変換候補として、前記メールの受取先固有の表示内容を設定することを特徴とする請求項１〜３の何れか一項に記載のメール作成装置。
【請求項５】
前記第２判定手段は、
所定の通信回線を介して送信される前記メールの受取先のアドレス情報に基づいて、前記入力手段により入力された前記文字列が前記メールの受取先を特定する文字列であるか否かを判定することを特徴とする請求項４に記載のメール作成装置。
【請求項６】
前記表示内容は、前記文字列と異なる種類の文字列、記号及び画像のうち、少なくとも一を含むことを特徴とする請求項１〜５の何れか一項に記載のメール作成装置。
【請求項７】
背景内に被写体が存在する被写体存在画像から前記被写体が含まれる被写体領域を抽出する抽出手段を更に備え、
前記画像は、前記抽出手段により抽出された前記被写体領域の画像であることを特徴とする請求項６に記載のメール作成装置。
【請求項８】
前記被写体存在画像を撮像する撮像手段を更に備え、
前記抽出手段は、前記撮像手段により撮像された前記被写体存在画像から前記被写体領域を抽出することを特徴とする請求項７に記載のメール作成装置。
【請求項９】
少なくとも一の人物の顔画像を登録する登録手段を更に備え、
前記記憶手段は、
前記抽出手段により抽出された前記被写体領域の人物が前記登録手段に登録されている人物である場合に、当該人物を特定する文字列と、前記文字列の変換候補としての前記被写体領域の画像とを前記変換テーブルに対応付けて記憶し、
前記設定制御手段は、
前記メールの送り主を特定する文字列及び受取先を特定する文字列のうち、一方の人物が前記登録手段に登録されている場合に、前記変換手段により前記変換テーブルに基づいて変換される前記人物を特定する文字列の変換候補の内容として、前記被写体領域の画像を設定することを特徴とする請求項７又は８に記載のメール作成装置。
【請求項１０】
所定の文字列と、当該文字列の変換候補としての表示内容とが対応付けられた変換テーブルを記憶する記憶手段と、メールの作成の際に、前記文字列を入力する入力手段と、を備えたメール作成装置のコンピュータを、
前記入力手段により入力された前記文字列を、前記記憶手段に記憶されている前記変換テーブルに基づいて前記変換候補の中から所定の表示内容に変換する変換手段、
前記メールの送り主を特定する文字列及び受取先を特定する文字列のうち、少なくとも一方に対応するように、前記変換手段により前記変換テーブルに基づいて変換される前記文字列の変換候補の内容を設定する設定制御手段、
として機能させることを特徴とするプログラム。
【発明の詳細な説明】
【技術分野】
【０００１】
本発明は、メール作成装置及びプログラムに関する。
【背景技術】
【０００２】
従来、送信先（受取先）のメールアドレスから送信先の携帯電話端末を判別することで、送り主の作成したメールデータを完全な状態で正確に送信先端末に表示することができる特殊文字処理機能を備えた携帯電話端末が知られている（例えば、特許文献１参照）。
【先行技術文献】
【特許文献】
【０００３】
【特許文献１】特開２００３−６７３０２号公報
【発明の概要】
【発明が解決しようとする課題】
【０００４】
しかしながら、上記特許文献１にあっては、メールの送り主や受取先に特有のメールを作成することはできないといった問題がある。
【０００５】
そこで、本発明の課題は、メールの送り主や受取先に特有のメールを作成することができるメール作成装置及びプログラムを提供することである。
【課題を解決するための手段】
【０００６】
上記課題を解決するため、請求項１に記載の発明のメール作成装置は、
所定の文字列と、当該文字列の変換候補としての表示内容とが対応付けられた変換テーブルを記憶する記憶手段と、メールの作成の際に、前記文字列を入力する入力手段と、この入力手段により入力された前記文字列を、前記記憶手段に記憶されている前記変換テーブルに基づいて前記変換候補の中から所定の表示内容に変換する変換手段と、前記メールの送り主を特定する文字列及び受取先を特定する文字列のうち、少なくとも一方に対応するように、前記変換手段により前記変換テーブルに基づいて変換される前記文字列の変換候補の内容を設定する設定制御手段と、を備えたことを特徴としている。
【０００７】
請求項２に記載の発明は、請求項１に記載のメール作成装置において、
前記変換テーブルは、更に、前記メールの送り主を特定する文字列と、前記文字列の表示態様の変換候補としての当該メールの送り主固有の表示内容とが対応付けられ、前記設定制御手段は、前記入力手段により入力された前記文字列が前記メールの送り主を特定する文字列であるか否かを判定する第１判定手段を有し、この第１判定手段により前記文字列が前記メールの送り主を特定する文字列であると判定された場合に、前記変換手段により前記変換テーブルに基づいて変換される前記文字列の変換候補として、前記メールの送り主固有の表示内容を設定することを特徴としている。
【０００８】
請求項３に記載の発明は、請求項２に記載のメール作成装置において、
前記第１判定手段は、所定の通信回線を介して送信される前記メールの送り主のアドレス情報に基づいて、前記入力手段により入力された前記文字列が前記メールの送り主を特定する文字列であるか否かを判定することを特徴としている。
【０００９】
請求項４に記載の発明は、請求項１〜３の何れか一項に記載のメール作成装置において、
前記変換テーブルは、更に、前記メールの受取先を特定する文字列と、前記文字列の変換候補としての当該メールの受取先固有の表示内容とが対応付けられ、前記設定制御手段は、前記入力手段により入力された前記文字列が前記メールの受取先を特定する文字列であるか否かを判定する第２判定手段を有し、この第２判定手段により前記文字列が前記メールの受取先を特定する文字列であると判定された場合に、前記変換手段により前記変換テーブルに基づいて変換される前記文字列の変換候補として、前記メールの受取先固有の表示内容を設定することを特徴としている。
【００１０】
請求項５に記載の発明は、請求項４に記載のメール作成装置において、
前記第２判定手段は、所定の通信回線を介して送信される前記メールの受取先のアドレス情報に基づいて、前記入力手段により入力された前記文字列が前記メールの受取先を特定する文字列であるか否かを判定することを特徴としている。
【００１１】
請求項６に記載の発明は、請求項１〜５の何れか一項に記載のメール作成装置において、
前記表示内容は、前記文字列と異なる種類の文字列、記号及び画像のうち、少なくとも一を含むことを特徴としている。
【００１２】
請求項７に記載の発明は、請求項６に記載のメール作成装置において、
背景内に被写体が存在する被写体存在画像から前記被写体が含まれる被写体領域を抽出する抽出手段を更に備え、前記画像は、前記抽出手段により抽出された前記被写体領域の画像であることを特徴としている。
【００１３】
請求項８に記載の発明は、請求項７に記載のメール作成装置において、
前記被写体存在画像を撮像する撮像手段を更に備え、前記抽出手段は、前記撮像手段により撮像された前記被写体存在画像から前記被写体領域を抽出することを特徴としている。
【００１４】
請求項９に記載の発明は、請求項７又は８に記載のメール作成装置において、
少なくとも一の人物の顔画像を登録する登録手段を更に備え、前記記憶手段は、前記抽出手段により抽出された前記被写体領域の人物が前記登録手段に登録されている人物である場合に、当該人物を特定する文字列と、前記文字列の変換候補としての前記被写体領域の画像とを前記変換テーブルに対応付けて記憶し、前記設定制御手段は、前記メールの送り主を特定する文字列及び受取先を特定する文字列のうち、一方の人物が前記登録手段に登録されている場合に、前記変換手段により前記変換テーブルに基づいて変換される前記人物を特定する文字列の変換候補の内容として、前記被写体領域の画像を設定することを特徴としている。
【００１５】
請求項１０に記載の発明のプログラムは、
所定の文字列と、当該文字列の変換候補としての表示内容とが対応付けられた変換テーブルを記憶する記憶手段と、メールの作成の際に、前記文字列を入力する入力手段と、を備えたメール作成装置のコンピュータを、前記入力手段により入力された前記文字列を、前記記憶手段に記憶されている前記変換テーブルに基づいて前記変換候補の中から所定の表示内容に変換する変換手段、前記メールの送り主を特定する文字列及び受取先を特定する文字列のうち、少なくとも一方に対応するように、前記変換手段により前記変換テーブルに基づいて変換される前記文字列の変換候補の内容を設定する設定制御手段、として機能させることを特徴としている。
【発明の効果】
【００１６】
本発明によれば、メールの送り主や受取先に特有のメールを作成することができる。
【図面の簡単な説明】
【００１７】
【図１】本発明を適用した実施形態１の携帯端末の概略構成を示すブロック図である。
【図２】図１の携帯端末を用いた通信システムの概略構成を模式的に示す図である。
【図３】図１の携帯端末のテーブル管理部に記憶されている変換テーブルの一例を模式的に示す図である。
【図４】図１の携帯端末によるアドレス登録処理に係る動作の一例を示すフローチャートである。
【図５】図１の携帯端末による変換候補登録処理に係る動作の一例を示すフローチャートである。
【図６】図１の携帯端末による表示内容変換処理に係る動作の一例を示すフローチャートである。
【図７】図６の表示内容変換処理の続きを示すフローチャートである。
【図８】図６の表示内容変換処理に係る画像の一例を模式的に示す図である。
【図９】本発明を適用した実施形態２の携帯端末の概略構成を示すブロック図である。
【図１０】図９の携帯端末の被写体画像生成部の構成を模式的に示す図である。
【図１１】図９の携帯端末による被写体切り抜き処理に係る動作の一例を示すフローチャートである。
【図１２】図１１の被写体切り抜き処理における背景生成処理に係る動作の一例を示すフローチャートである。
【図１３】図１１の被写体切り抜き処理における領域検出処理に係る動作の一例を示すフローチャートである。
【図１４】図１１の被写体切り抜き処理に係る画像の一例を模式的に示す図である。
【図１５】図１１の被写体切り抜き処理に係る画像の一例を模式的に示す図である。
【図１６】図９の携帯端末のテーブル管理部に記憶されている変換テーブルの一例を模式的に示す図である。
【図１７】図９の携帯端末による表示内容変換処理に係る画像の一例を模式的に示す図である。
【図１８】変形例１の携帯端末による被写体画像登録処理に係る動作の一例を示すフローチャートである。
【発明を実施するための形態】
【００１８】
以下に、本発明について、図面を用いて具体的な態様を説明する。ただし、発明の範囲は、図示例に限定されない。
【００１９】
［実施形態１］
図１は、本発明を適用した実施形態１の携帯端末１００の概略構成を示すブロック図である。また、図２は、携帯端末１００を用いた通信システム１０００の概略構成を模式的に示す図である。
実施形態１の携帯端末１００は、メールの送り主及び受取先のうち、少なくとも一方に基づいて、文字列変換部２ａにより変換テーブル３ａに基づいて変換される所定の文字列の表示態様の変換候補の内容を設定する。
具体的には、図１に示すように、携帯端末１００は、送受話部１と、メール作成部２と、テーブル管理部３と、操作入力部４と、メモリ５と、記録媒体制御部６と、表示制御部７と、表示部８と、通信制御部９と、中央制御部１０とを備えている。また、図２に示すように、複数の携帯端末（第１〜第３携帯端末１００Ａ〜１００Ｃ等）１００、…は、通信ネットワークＮを介して相互に情報通信可能に接続されている。
【００２０】
なお、図２にあっては、複数の携帯端末１００、…として、第１〜第３携帯端末１００Ａ〜１００Ｃを例示したが、携帯端末１００の個数は一例であってこれに限られるものではなく、適宜任意に変更可能である。また、複数の携帯端末１００、…の各々は、略同様の構成をなし、例えば、携帯電話やＰＨＳ（Personal Handy-phone System）などの移動体通信網で用いられる移動局、ＰＤＡ（Personal Data Assistants）等から構成されている。
【００２１】
送受話部１は、例えば、図示は省略するが、マイク、スピーカ、Ａ／Ｄ変換部及びＤ／Ａ変換部等を備えている。そして、送受話部１は、マイクから入力されるユーザの送話音声をＡ／Ｄ変換処理して送話音声データを中央制御部１０に出力するとともに、中央制御部１０の制御下にて、通信制御部９から出力されて入力される受話音声データ等の音声データをＤ／Ａ変換処理してスピーカから出力する。
【００２２】
メール作成部２は、所定の通信ネットワークＮを介して送信される電子メールを作成する。具体的には、メール作成部２は、文字列変換部２ａと、変換候補設定制御部２ｂとを具備している。
【００２３】
文字列変換部２ａは、操作入力部４により入力された文字や文字列を所定の表示内容に変換する。
ここで、所定の表示内容とは、表示態様の変換候補のことである。具体的には、表示内容は、入力される文字列（例えば、「ひらがな」の文字列）の表示態様が変換されたものであり、当該文字列とは異なる種類の文字列（例えば、「カタカナ」や「漢字」の文字列等）や、記号（例えば、加減乗除や米印を表す記号等）や、装飾画像などの装飾画像等が挙げられる。
そして、文字列変換部２ａは、操作入力部４により入力された文字や文字列を、テーブル管理部３に記憶されている変換テーブル３ａに基づいて変換候補の中から所定の表示内容に変換する。具体的には、例えば、操作入力部４により入力された文字列（例えば、「おとこ」）と対応付けられている表示態様の変換候補（例えば、漢字の表記の「男」、カタカナの表記の「オトコ」、装飾画像の表記の「男顔画像」など）が、ユーザによる操作入力部４の所定操作に従って順次表示部８に表示されていく。このとき、ユーザによる操作入力部４の所定操作に基づいて変換候補の中から所定の表示内容が選択指示されると、文字列変換部２ａは、当該所定の表示内容を文字列の変換内容として決定する。
ここで、文字列変換部２ａは、操作入力部４により入力された文字や文字列を、テーブル管理部３に記憶されている変換テーブル３ａに基づいて変換候補の中から所定の表示内容に変換する変換手段を構成している。
【００２４】
変換候補設定制御部２ｂは、文字列変換部２ａにより変換テーブル３ａに基づいて変換される文字列の表示態様の変換候補の内容を設定する。
即ち、変換候補設定制御部２ｂは、ユーザによる操作入力部４の所定操作に基づいて入力された文字列が電子メールの送り主を特定する文字列であるか否かや、電子メールの受取先を特定する文字列であるか否かを判定する判定部ｂ１を具備しており、当該判定部ｂ１による判定結果に応じて、文字列の表示態様の変換候補の内容を設定する。
【００２５】
ここで、送り主や受取先は、自然人であっても良いし、法人であっても良いし、所定数の構成員によって構成される所定のグループを代表する者であっても良い。また、送り主は、通常、単数となるのに対して、受取先は、単数或いは複数であっても良い。なお、受取先が複数の場合には、相手の識別に、二人称を用いずに、三人称若しくは受取先の名称などを用いるのが好ましい。
そして、判定部ｂ１は、ユーザによる操作入力部４の所定操作に基づいて入力された文字列が電子メールの送り主を特定する文字列であるか否かや、電子メールの受取先を特定する文字列であるか否かを変換テーブル３ａに登録されている電子メールアドレスに基づいて判定する。具体的には、例えば、電子メールの送り主の電子メールアドレスが変換テーブル３ａに登録されており、電子メールの送信元の欄に当該電子メールアドレスが記載されている場合には、判定部ｂ１は、入力された文字列が電子メールの送り主を特定する文字列であるか否かを判定する。同様に、例えば、電子メールの受取先（宛先）の電子メールアドレスが変換テーブル３ａに登録されており、電子メールの宛先の欄に当該電子メールアドレスが記載されている場合には、判定部ｂ１は、入力された文字列が電子メールの受取先を特定する文字列であるか否かを判定する。
このように、判定部ｂ１は、第１判定手段として、電子メールの送り主のアドレス情報に基づいて、操作入力部４の所定操作に基づいて入力された文字列が電子メールの送り主を特定する文字列であるか否かを判定する。また、判定部ｂ１は、第２判定手段として、電子メールの受取先のアドレス情報に基づいて、操作入力部４の所定操作に基づいて入力された文字列が電子メールの受取先を特定する文字列であるか否かを判定する。
なお、判定部ｂ１は、操作入力部４の所定操作に基づいて入力された文字列の判定を、電子メールの送り主及び受取先の双方について行うようにしたが、これに限られるものではなく、電子メールの送り主及び受取先のうち、何れか一方について行っても良い。
【００２６】
そして、変換候補設定制御部２ｂは、判定部ｂ１により文字列が電子メールの送り主を特定する文字列であると判定された場合に、文字列変換部２ａにより変換テーブル３ａに基づいて変換される文字列の表示態様の変換候補として、電子メールの送り主固有の表示内容を設定する。一方、判定部ｂ１により文字列が電子メールの受取先を特定する文字列であると判定された場合に、変換候補設定制御部２ｂは、文字列変換部２ａにより変換テーブル３ａに基づいて変換される文字列の表示態様の変換候補として、電子メールの受取先固有の表示内容を設定する。
即ち、変換候補設定制御部２ｂは、電子メールの送り主及び受取先のうち、少なくとも一方に基づいて、文字列変換部２ａにより変換テーブル３ａに基づいて変換される文字や文字列の表示態様の変換候補の内容を設定する。
具体的には、判定部ｂ１により文字列が電子メールの送り主を特定する文字列（例えば、「わたし」や「送信者の名前」等）であると判定された場合に、変換候補設定制御部２ｂは、操作入力部４により入力された文字列（例えば、「わたし」）の表示態様の変換候補（例えば、漢字の表記の「私」、カタカナの表記の「ワタシ」など）に加えて、電子メールの送り主固有の表示内容（例えば、装飾画像の表記の「男顔画像」など）を当該文字列の変換内容として決定する。同様に、判定部ｂ１により文字列が電子メールの受取先を特定する文字列（例えば、「あなた」や「受信者の名前」等）であると判定された場合に、変換候補設定制御部２ｂは、操作入力部４により入力された文字列（例えば、「あなた」）の表示態様の変換候補（例えば、漢字の表記の「貴女」、カタカナの表記の「アナタ」など）に加えて、電子メールの受取先固有の表示内容（例えば、装飾画像の表記の「女顔画像」など）を当該文字列の変換内容として決定する。
【００２７】
このように、変換候補設定制御部２ｂは、メールの送り主及び受取先のうち、少なくとも一方に対応するように、文字列変換部２ａにより変換テーブル３ａに基づいて変換される文字や文字列の表示態様の変換候補の内容を設定する設定制御手段を構成している。
【００２８】
テーブル管理部３は、操作入力部４を介して入力される文字列の変換用の変換テーブル３ａ（図３参照）を記憶している。
変換テーブル３ａは、所定の文字、或いは、文字列と、当該文字や文字列の表示内容とが対応付けられている。ここで、表示内容とは、操作入力部４の所定操作に基づいて入力された文字列の文字列変換部２ａによる表示態様の変換候補のことである。
具体的には、例えば、図３に示すように、変換テーブル３ａは、ユーザによる操作入力部４の所定操作に基づいて入力される文字列（文字列１）としての「おとこ」と、「おとこ」を模式的に表す「顔画像」とを対応付けて記憶している。同様に、変換テーブル３ａは、入力される文字列（文字列１）としての「おんな」と、「おんな」を模式的に表す「顔画像」とを対応付けて記憶している。
なお、記号は、一文字で表される記号単体であっても良いし、複数組み合わされることで形成される記号、例えば、所謂、「顔文字」であっても良い。また、「顔文字」と所定の種類の文字列とが組み合わされたものであっても良い。
【００２９】
また、変換テーブル３ａは、文字列の表示内容と、電子メールの送り主（送信者）を特定する文字列とが対応付けられている。ここで、電子メールの送り主を特定する文字列とは、送り主自身を識別する文字列に限られず、当該送り主自身を示唆する文字列も含む。例えば、電子メールの送り主を特定する文字列として、「わたし」などの一人称を示す文字列（文字列２）や、送信者自身の名前（文字列３）等が挙げられる。
例えば、電子メールの送り主であるユーザの性別が「男」の場合、文字列の表示内容としての「おとこ」を模式的に表す「男顔画像」に対して、「わたし」などの一人称を示す文字列（文字列２）と、送信者自身の名前（文字列３）とがそれぞれ対応付けられている。つまり、文字列の表示内容としての「おとこ」を模式的に表す「男顔画像」と、「わたし」などの一人称を示す文字列（文字列２）と、送信者自身の名前（文字列３）との対応関係は、送り主固有のものとなっている。
これにより、ユーザによる操作入力部４の所定操作に基づいて、「わたし」などの一人称を示す文字列（文字列２）や送信者自身の名前（文字列３）が入力された場合に、当該文字列の文字列変換部２ａによる表示態様の変換候補として、「おとこ」を模式的に表す「男顔画像」が表示部８に表示されることとなる。
このように、変換テーブル３ａは、電子メールの送り主を特定する文字列と、当該文字列の表示態様の変換候補としての電子メールの送り主固有の表示内容とが対応付けられている。
【００３０】
また、変換テーブル３ａは、文字列の表示内容と、電子メールの受取先（受信者）を特定する文字列とが対応付けられている。ここで、電子メールの受取先を特定する文字列とは、受取先自身を識別する文字列に限られず、当該受取先自身を示唆する文字列も含む。例えば、電子メールの受取先を特定する文字列として、「あなた」などの二人称を示す文字列（文字列２）や、受信者自身の名前（文字列３）等が挙げられる。
例えば、電子メールの受取先であるユーザの性別が「女」の場合、文字列の表示内容としての「おんな」を模式的に表す「女顔画像」に対して、「あなた」などの二人称を示す文字列（文字列２）と、受信者自身の名前（文字列３）とがそれぞれ対応付けられている。つまり、文字列の表示内容としての「おんな」を模式的に表す「女顔画像」と、「あなた」などの二人称を示す文字列（文字列２）と、受信者自身の名前（文字列３）との対応関係は、受取先固有のものとなっている。
これにより、ユーザによる操作入力部４の所定操作に基づいて、「あなた」などの二人称を示す文字列（文字列２）や受信者自身の名前（文字列３）が入力された場合に、当該文字列の文字列変換部２ａによる表示態様の変換候補として、「おんな」を模式的に表す「女顔画像」が表示部８に表示されることとなる。
このように、変換テーブル３ａは、電子メールの受取先を特定する文字列と、当該文字列の表示態様の変換候補としての電子メールの受取先固有の表示内容とが対応付けられている。
【００３１】
また、変換テーブル３ａは、文字列の表示内容と、送り主や受取先の電子メールアドレス（アドレス情報）とが対応付けられている。例えば、電子メールの送り主（送信者）であるユーザの性別が「男」の場合、文字列の表示内容としての「おとこ」を模式的に表す「男顔画像」に対して、送信者であるユーザ自身の電子メールアドレス（例えば、E-mailアドレス１等）が対応付けられている。また、例えば、電子メールの受取先（受信者）の人物の性別が「女」の場合、文字列の表示内容としての「おんな」を模式的に表す「女顔画像」に対して、受信者の電子メールアドレス（例えば、E-mailアドレス２等）が対応付けられている。
【００３２】
なお、上記例示した変換テーブル３ａは一例であってこれに限られるものではなく、適宜任意に変更可能である。
ここで、テーブル管理部３は、所定の文字、或いは、文字列と、当該文字や文字列の表示態様の変換候補としての表示内容とが対応付けられた変換テーブル３ａを記憶する記憶手段を構成している。
【００３３】
また、テーブル管理部３は、電話の発着信や電子メールの送受信の際に、通話対象や通信対象を特定するためのアドレス帳テーブル３ｂを記憶している。
アドレス帳テーブル３ｂは、例えば、人物の氏名、電子メール（E-mail）アドレス、電話番号、住所等の各種情報を対応付けて記憶している。そして、電話の発信や電子メールの送信の際に、操作入力部４の所定操作に基づいて電話の発信先や電子メールの送信先となる人物が指定されると、テーブル管理部３は、指定された人物と対応付けられている電話番号や電子メールアドレス等を当該アドレス帳テーブル３ｂから読み出して送受話部１やメール作成部２に出力する。
【００３４】
操作入力部４は、携帯端末１００本体に対して各種指示を入力するためのものである。具体的には、操作入力部４は、例えば、電源ボタン、数字ボタン、記号ボタン、上下左右のカーソルボタン、決定ボタン（何れも図示略）等の各種ボタンを備えている。
そして、ユーザにより各種ボタンが操作されると、操作入力部４は、操作されたボタンに応じた操作指示を中央制御部１０に出力する。中央制御部１０は、操作入力部４から出力され入力された操作指示に従って所定の動作（例えば、電話の発着信やインターネットへのアクセスや電子メールの送受信等）を各部に実行させる。
【００３５】
また、操作入力部４は、例えば、アドレス帳に人物名や住所等の各種情報を登録したり、電子メールの作成の際に、ユーザによる各種ボタンの操作に従って所定の文字や文字列（テキスト）を入力する。具体的には、操作入力部４は、例えば、数字ボタンや記号ボタンに対応する数字や記号を入力したり、所定のキー入力方法（例えば、「５タッチ入力方法」、「２タッチ入力方法」、「Ｔ９入力方法」等）に従って日本語や英語などの各種文字や文字列（文字列）を入力する。
このとき、操作入力部４の各種ボタンは、表示部８の表示画面に表示される携帯端末１００のグラフィカルユーザインタフェース（GUI）の操作に用いられても良い。例えば、所定のキー入力方法に従って入力された日本語の文字列（例えば、ひらがなの文字列）を当該文字列とは種類の異なる文字列（例えば、カタカナや漢字の文字列等）に変換する際に、表示部８に表示された当該変換を指示するボタンの操作指示を操作入力部４の所定のボタンの操作に基づいて入力するようにしても良い。
【００３６】
また、操作入力部４は、図示は省略するが、表示部８の表示パネルと一体となって設けられたタッチパネルを有していても良い。即ち、操作入力部４は、表示パネルの画像表示領域をなす表示画面に直接的若しくは間接的に接触するユーザの指（手）やタッチペン等の接触位置をタッチパネルにより検出する。具体的には、タッチパネルは、例えば、表示画面上或いは当該表示画面よりも内側に設けられ、抵抗膜方式、超音波表面弾性波方式、静電容量方式等の各種方式により、表示画面上における接触位置のＸＹ座標を検出する。そして、タッチパネルは、接触位置のＸＹ座標に係る位置信号を中央制御部１０に出力することにより、表示部８の表示画面に表示されるグラフィカルユーザインタフェース（GUI）を操作する。
【００３７】
このように、操作入力部４は、メールの作成の際に、所定の文字や文字列を入力する入力手段を構成している。
【００３８】
メモリ５は、例えば、ＤＲＡＭ等により構成され、送受話部１、メール作成部２、テーブル管理部３、記録媒体制御部６、表示制御部７、通信制御部９、中央制御部１０等によって処理されるデータ等を一時記憶する。
【００３９】
記録媒体制御部６は、記録媒体Ｍが着脱自在に構成され、装着された記録媒体Ｍからのデータの読み出しや記録媒体Ｍに対するデータの書き込みを制御する。
即ち、記録媒体制御部６は、符号化部（図示略）により所定の圧縮形式（例えば、ＪＰＥＧ形式等）で符号化された記録用の画像データを記録媒体Ｍに記録させる。
なお、記録媒体Ｍは、例えば、不揮発性メモリ（フラッシュメモリ）等により構成されるが、一例であってこれに限られるものではなく、適宜任意に変更可能である。
【００４０】
表示部８は、例えば、図示は省略するが、ＬＣＤパネル等の表示画面を備え、表示制御部７の制御下にて所定の画面表示を行う。
即ち、表示制御部７は、表示部８に対して所定の画面データを出力し、当該画面データに基づいて表示部８の表示画面に所定の画面を表示させる。例えば、表示制御部７は、メモリ５に一時的に記憶されている表示用の画像データを読み出して表示部８に表示させる制御を行う。
【００４１】
通信制御部９は、着信や発信等に係る無線信号の送受信を行うアンテナ（図示略）を有し、無線基地局（図示略）との間で所定の通信方式によりデータ通信を行う。具体的には、通信制御部９は、中央制御部１０から出力されて入力される指示信号に基づいて、所定の通信方式（例えば、Ｗ−ＣＤＭＡ（Wideband Code Division Multiple Access）方式、ＧＳＭ（Global System for Mobile Communications）方式等）に対応する携帯端末用の通信プロトコルに従って、この通信方式で設定される通信チャネルにより無線基地局との間でアンテナを介して送受話音声の送受信やデータ通信を行う。
なお、通信制御部９の構成は一例であってこれに限られるものではなく、適宜任意に変更可能であり、例えば、図示は省略するが、無線ＬＡＮモジュールを搭載し、アクセスポイント（Access Point）を介して通信ネットワークＮにアクセス可能な構成としても良い。
【００４２】
なお、通信ネットワークＮは、携帯端末１００を無線基地局やゲートウェイサーバ（共に図示略）等を介して接続する通信ネットワークである。また、通信ネットワークＮは、専用線や既存の一般公衆回線を利用して構築された通信ネットワークであり、ＬＡＮ（Local Area Network）やＷＡＮ（Wide Area Network）等の様々な回線形態を適用することが可能である。また、通信ネットワークＮには、例えば、電話回線網、ＩＳＤＮ回線網、専用線、移動体通信網、通信衛星回線、ＣＡＴＶ回線網等の各種通信ネットワーク網と、ＩＰネットワーク、ＶｏＩＰ（Voice over Internet Protocol）ゲートウェイ、インターネットサービスプロバイダ等が含まれる。
【００４３】
中央制御部１０は、携帯端末１００の各部を制御するものである。具体的には、中央制御部１０は、図示は省略するが、ＣＰＵ（Central Processing Unit）、ＲＡＭ（Random Access Memory）、ＲＯＭ（Read Only Memory）等を備え、携帯端末１００用の各種処理プログラム（図示略）に従って各種の制御動作を行う。
【００４４】
＜アドレス登録処理＞
次に、実施形態１の携帯端末１００によるアドレス登録処理について図４を参照して説明する。
図４は、アドレス登録処理に係る動作の一例を示すフローチャートである。
なお、以下の説明にあっては、装飾画像の表記の「男顔画像」に対して、送り主の電子メールアドレスを登録する場合について説明するが、一例であってこれに限られるものではなく、登録対象は適宜任意に変更可能である。
また、アドレス登録処理は、ユーザによる操作入力部４の所定操作に基づいて、メニュー画面に表示された複数のモードの中からアドレス登録モードが選択指示された場合に実行される処理である。
【００４５】
図４に示すように、先ず、中央制御部１０は、変換テーブル３ａに登録されている複数の画像（例えば、装飾画像等）の中から、ユーザによる操作入力部４の所定操作に基づいて変換候補（表示内容）としての所定の画像（例えば、装飾画像の表記の「男顔画像」等）の選択指示が入力されているか否かを判定する（ステップＳ１）。
ここで、所定の画像の選択指示が入力されていると判定されると（ステップＳ１；ＹＥＳ）、テーブル管理部３は、中央制御部１０から出力された画像の選択指示の入力に基づいて、選択された画像を送り主固有の表示内容の登録対象として指定する（ステップＳ２）。
なお、ステップＳ１にて、所定の画像の選択指示が入力されていないと判定されると（ステップＳ１；ＮＯ）、中央制御部１０は、当該アドレス登録処理を終了させる。
【００４６】
次に、テーブル管理部３は、選択された画像（登録対象）を登録して良いか否か（ＯＫか否か）を判定する（ステップＳ３）。具体的には、テーブル管理部３は、例えば、ユーザによる操作入力部４の所定操作に基づいて他の画像の選択指示が入力されているか否かに応じて、画像を登録して良いか否かを判定する。
ここで、登録対象を変更する場合、即ち、選択された画像を登録しないと判定された場合（ステップＳ３；ＮＯ）、中央制御部１０は、処理をステップＳ１に移行して、ユーザによる操作入力部４の所定操作に基づいて他の画像の選択指示を受け付ける。
【００４７】
一方、ステップＳ３にて、選択された画像を登録して良いと判定された場合（ステップＳ３；ＹＥＳ）、操作入力部４の所定操作に基づいて入力される電子メールアドレス（例えば、送り主の電子メールアドレス等）の指定を受け付けた後（ステップＳ４）、テーブル管理部３は、指定された電子メールアドレスを登録して良いか否か（ＯＫか否か）を判定する（ステップＳ５）。具体的には、テーブル管理部３は、例えば、ユーザによる操作入力部４の所定操作に基づいて他の電子メールアドレスの選択指示が入力されているか否かに応じて、電子メールアドレスを登録して良いか否かを判定する。
ここで、登録対象を変更する場合、即ち、指定された電子メールアドレスを登録しないと判定された場合（ステップＳ５；ＮＯ）、テーブル管理部３は、処理をステップＳ４に移行して、ユーザによる操作入力部４の所定操作に基づいて他の電子メールアドレスの指定を受け付ける。
【００４８】
一方、ステップＳ５にて、指定された電子メールアドレスを登録して良いと判定された場合（ステップＳ５；ＹＥＳ）、テーブル管理部３は、ステップＳ２にて指定された画像（例えば、装飾画像の表記の「男顔画像」等）と、ステップＳ４にて指定された電子メールアドレス（例えば、送り主の電子メールアドレス等）とを対応付けて変換テーブル３ａに登録する（ステップＳ６）。
次に、中央制御部１０は、変換テーブル３ａに登録されている複数の画像（例えば、装飾画像等）の中から、ユーザによる操作入力部４の所定操作に基づいて登録対象となる次の画像（例えば、装飾画像の表記の「女顔画像」等）の登録指示が入力されているか否かを判定する（ステップＳ７）。
ここで、次の画像の登録指示が入力されていると判定されると（ステップＳ７；ＹＥＳ）、中央制御部１０は、処理をステップＳ１に移行して、ユーザによる操作入力部４の所定操作に基づいて他の画像の選択指示を受け付ける。
【００４９】
一方、ステップＳ７にて、次の画像の登録指示が入力されていないと判定されると（ステップＳ７；ＮＯ）、中央制御部１０は、当該アドレス登録処理を終了させる。
【００５０】
＜変換候補登録処理＞
次に、実施形態１の携帯端末１００による変換候補登録処理について図５を参照して説明する。
図５は、変換候補登録処理に係る動作の一例を示すフローチャートである。
なお、以下の説明にあっては、装飾画像の表記の「男顔画像」に対して、電子メールの送り主を特定する文字列を登録する場合について説明するが、一例であってこれに限られるものではなく、登録対象は適宜任意に変更可能である。
また、変換候補登録処理は、ユーザによる操作入力部４の所定操作に基づいて、メニュー画面に表示された複数のモードの中から変換候補登録モードが選択指示された場合に実行される処理である。
【００５１】
図５に示すように、先ず、中央制御部１０は、変換テーブル３ａに登録されている複数の画像（例えば、装飾画像等）の中から、ユーザによる操作入力部４の所定操作に基づいて変換候補（表示内容）としての所定の画像（例えば、装飾画像の表記の「男顔画像」等）の選択指示が入力されているか否かを判定する（ステップＳ１１）。
ここで、所定の画像の選択指示が入力されていると判定されると（ステップＳ１１；ＹＥＳ）、テーブル管理部３は、中央制御部１０から出力された画像の選択指示の入力に基づいて、選択された画像を送り主固有の表示内容の登録対象として指定する（ステップＳ１２）。
なお、ステップＳ１１にて、所定の画像の選択指示が入力されていないと判定されると（ステップＳ１１；ＮＯ）、中央制御部１０は、当該変換候補登録処理を終了させる。
【００５２】
次に、テーブル管理部３は、選択された画像（登録対象）を登録して良いか否か（ＯＫか否か）を判定する（ステップＳ１３）。具体的には、テーブル管理部３は、例えば、ユーザによる操作入力部４の所定操作に基づいて他の画像の選択指示が入力されているか否かに応じて、画像を登録して良いか否かを判定する。
ここで、登録対象を変更する場合、即ち、選択された画像を登録しないと判定された場合（ステップＳ１３；ＮＯ）、中央制御部１０は、処理をステップＳ１１に移行して、ユーザによる操作入力部４の所定操作に基づいて他の画像の選択指示を受け付ける。
【００５３】
一方、ステップＳ１３にて、選択された画像を登録して良いと判定された場合（ステップＳ３；ＹＥＳ）、操作入力部４の所定操作に基づいて入力される画像の読み方、即ち、送り主を特定する文字列（例えば、「わたし」や「送り主の名前」等）の入力を受け付けた後（ステップＳ１４）、テーブル管理部３は、入力された画像の読み方（送り主を特定する文字列）を登録して良いか否か（ＯＫか否か）を判定する（ステップＳ１５）。具体的には、テーブル管理部３は、例えば、ユーザによる操作入力部４の所定操作に基づいて他の読み方（送り主を特定する文字列）が入力されているか否かに応じて、画像の読み方を登録して良いか否かを判定する。
ここで、画像の読み方を変更する場合、即ち、入力された読み方（送り主を特定する文字列）を登録しないと判定された場合（ステップＳ１５；ＮＯ）、テーブル管理部３は、処理をステップＳ１４に移行して、ユーザによる操作入力部４の所定操作に基づいて他の読み方の入力を受け付ける。
【００５４】
一方、ステップＳ１５にて、入力された読み方を登録して良いと判定された場合（ステップＳ１５；ＹＥＳ）、テーブル管理部３は、ステップＳ１２にて指定された画像（例えば、装飾画像の表記の「男顔画像」等）と、ステップＳ１４にて入力された読み方（例えば、送り主を特定する文字列等）とを対応付けて変換テーブル３ａに登録する（ステップＳ１６）。
次に、中央制御部１０は、変換テーブル３ａに登録されている複数の画像（例えば、装飾画像等）の中から、ユーザによる操作入力部４の所定操作に基づいて登録対象となる次の画像（例えば、装飾画像の表記の「女顔画像」等）の登録指示が入力されているか否かを判定する（ステップＳ１７）。
ここで、次の画像の登録指示が入力されていると判定されると（ステップＳ１７；ＹＥＳ）、中央制御部１０は、処理をステップＳ１１に移行して、ユーザによる操作入力部４の所定操作に基づいて他の画像の選択指示を受け付ける。
【００５５】
一方、ステップＳ１７にて、次の画像の登録指示が入力されていないと判定されると（ステップＳ１７；ＮＯ）、中央制御部１０は、当該変換候補登録処理を終了させる。
【００５６】
＜表示内容変換処理＞
次に、実施形態１の携帯端末１００による表示内容変換処理について図６及び図７を参照して説明する。
図６及び図７は、表示内容変換処理に係る動作の一例を示すフローチャートである。
なお、以下の説明にあっては、送り主を特定する文字列（例えば、「わたし」等）を入力して当該送り主固有の表示内容として装飾画像の表記の「男顔画像」に変換する場合について説明するが、一例であってこれに限られるものではなく、変換対象となる文字列は適宜任意に変更可能である。
【００５７】
図６に示すように、先ず、ユーザによる操作入力部４の所定操作に基づいて所定の文字列（例えば、「わたし」等）が入力されると（ステップＳ２１）、変換候補設定制御部２ｂは、操作入力部４の所定操作（例えば、表示部８に表示されている「変換」ボタンのGUI操作等に基づいて）に基づいて変換指示が入力されているか否かを判定する（ステップＳ２２）。
ここで、変換指示が入力されていると判定されると（ステップＳ２２；ＹＥＳ）、変換候補設定制御部２ｂは、変換テーブル３ａを参照して入力された所定の文字列に対応する装飾画像がデフォルトとして登録されているか否かを判定する（ステップＳ２３）。具体的には、所定の文字列として、例えば、「はれ」が入力された場合において、装飾画像の表記の「お日様のマーク」が登録されている場合には、変換候補設定制御部２ｂは、所定の文字列に対応する装飾画像が登録されていると判定する。一方、所定の文字列として、例えば、「わたし」が入力された場合には、変換候補設定制御部２ｂは、所定の文字列に対応する装飾画像が登録されていないと判定する。
【００５８】
ステップＳ２３にて、所定の文字列に対応する装飾画像が登録されていないと判定されると（ステップＳ２３；ＮＯ）、図７に示すように、変換候補設定制御部２ｂは、文字列（例えば、「わたし」等）の入力が電子メールの作成中の入力であるか否かを判定する（ステップＳ２４）。
ここで、文字列の入力が電子メールの作成中の入力であると判定されると（ステップＳ２４；ＹＥＳ）、変換候補設定制御部２ｂの判定部ｂ１は、文字列（例えば、「わたし」等）が電子メールの受取先を特定する文字列であるか否かを判定する（ステップＳ２５）。
【００５９】
ステップＳ２５にて、受取先を特定する文字列でないと判定されると（ステップＳ２５；ＮＯ）、変換候補設定制御部２ｂの判定部ｂ１は、文字列（例えば、「わたし」等）が電子メールの送り主を特定する文字列であるか否かを判定する（ステップＳ２６；図８（ａ）参照）。
ここで、電子メールの送り主を特定する文字列であると判定されると（ステップＳ２６；ＹＥＳ）、変換候補設定制御部２ｂの判定部ｂ１は、変換テーブル３ａ（図３参照）を参照して、送り主の電子メールアドレスと対応付けて登録されている画像（例えば、装飾画像の表記の「男顔画像」等）があるか否かを判定する（ステップＳ２７）。
【００６０】
ステップＳ２７にて、送り主の電子メールアドレスと対応付けて登録されている画像があると判定されると（ステップＳ２７；ＹＥＳ）、図６に示すように、変換候補設定制御部２ｂは、入力された文字列（例えば、「わたし」等）の変換候補として、変換候補登録処理にて登録された画像（例えば、装飾画像の表記の「男顔画像」等）を含む変換候補リストを生成する（ステップＳ２８）。
なお、当該変換候補リストにおける各候補の並び順は、登録されている画像（例えば、装飾画像の表記の「男顔画像」等）がユーザにより選択され易くするため、上位（表示順が早い位置）とした方が好ましいが、一例であってこれに限られるものではなく、適宜任意に変更可能である。
【００６１】
その後、変換候補設定制御部２ｂにより生成された変換候補リストに基づいて表示部８に表示された変換候補の中から、ユーザによる操作入力部４の所定操作に基づいて所定の変換候補の選択が行われる（ステップＳ２９）。このとき、ユーザによる操作入力部４の所定操作に基づいて所定の変換候補としての画像（例えば、装飾画像の表記の「男顔画像」等）が選択されると、文字列変換部２ａは、入力された文字列（例えば、「わたし」等）を画像（例えば、装飾画像の表記の「男顔画像」等）に変換し、表示制御部７は、当該変換結果に対応する画像データを生成して表示部８に表示させて（図８（ｂ）参照）、当該表示内容変換処理を終了する。
【００６２】
一方、ステップＳ２７にて、送り主の電子メールアドレスと対応付けて登録されている画像がないと判定されると（ステップＳ２７；ＮＯ）、変換候補設定制御部２ｂは、入力された文字列（例えば、「わたし」等）の変換候補として、変換候補登録処理にて登録された画像を含まない通常の変換候補リストを生成する（ステップＳ３０）。
また、ステップＳ２６にて、電子メールの送り主を特定する文字列でないと判定された場合（ステップＳ２６；ＮＯ）や、ステップＳ２４にて、文字列の入力が電子メールの作成中の入力でないと判定された場合（ステップＳ２４；ＮＯ）にも、変換候補設定制御部２ｂは、処理をステップＳ３０に移行して、入力された文字列（例えば、「わたし」等）の変換候補として、変換候補登録処理にて登録された画像を含まない通常の変換候補リストを生成する（ステップＳ３０）。
その後、図６に示すように、ステップＳ２９にて、変換候補設定制御部２ｂにより生成された通常の変換候補リストに基づいて表示部８に表示された変換候補の中から、ユーザによる操作入力部４の所定操作に基づいて所定の変換候補の選択が行われる。
【００６３】
また、ステップＳ２５にて、入力された文字列（例えば、「あなた」等）が受取先を特定する文字列であると判定されると（ステップＳ２５；ＹＥＳ）、変換候補設定制御部２ｂの判定部ｂ１は、変換テーブル３ａ（図３参照）を参照して、受取先の電子メールアドレスと対応付けて登録されている画像（例えば、装飾画像の表記の「女顔画像」等）があるか否かを判定する（ステップＳ３１）。
ここで、受取先の電子メールアドレスと対応付けて登録されている画像があると判定されると（ステップＳ３１；ＹＥＳ）、図６に示すように、変換候補設定制御部２ｂは、処理をステップＳ２８に移行して、入力された文字列（例えば、「あなた」等）の変換候補として、変換候補登録処理にて登録された画像（例えば、装飾画像の表記の「女顔画像」等）を含む変換候補リストを生成する（ステップＳ２８）。
なお、当該変換候補リストにおける各候補の並び順は、登録されている画像（例えば、装飾画像の表記の「女顔画像」等）がユーザにより選択され易くするため、上位（表示順が早い位置）とした方が好ましいが、一例であってこれに限られるものではなく、適宜任意に変更可能である。
一方、ステップＳ３１にて、受取先の電子メールアドレスと対応付けて登録されている画像がないと判定されると（ステップＳ３１；ＮＯ）、変換候補設定制御部２ｂは、処理をステップＳ３０に移行して、入力された文字列（例えば、「あなた」等）の変換候補として、変換候補登録処理にて登録された画像を含まない通常の変換候補リストを生成する（ステップＳ３０）。
【００６４】
また、ステップＳ２３にて、入力された所定の文字列（例えば、「はれ」等）に対応する装飾画像（例えば、装飾画像の表記の「お日様のマーク」等）が登録されていると判定されると（ステップＳ２３；ＹＥＳ）、変換候補設定制御部２ｂは、処理をステップＳ２８に移行して、入力された文字列の変換候補として、既に登録されている装飾画像（画像）を含む変換候補リストを生成する（ステップＳ２８）。
【００６５】
また、ステップＳ２２にて、入力された文字列の変換指示が入力されていないと判定されると（ステップＳ２２；ＮＯ）、文字列変換部２ａは、入力された文字列を変換せずに、即ち、入力された文字列の表示態様で決定となるため、当該表示内容変換処理を終了する。
【００６６】
以上のように、実施形態１の携帯端末１００によれば、電子メールの送り主及び受取先のうち、少なくとも一方に対応するように、文字列変換部２ａにより変換テーブル３ａに基づいて変換される所定の文字、或いは、文字列の表示態様の変換候補の内容（例えば、入力される文字列と異なる種類の文字列、記号及び画像のうち、少なくとも一）を設定するので、入力される文字列を電子メールの送り主や受取先に特有の表示態様に変換することができ、電子メールの送り主や受取先に特有のメールを作成することができる。
【００６７】
具体的には、入力された文字列が電子メールの送り主を特定する文字列や電子メールの示す文字列である場合に、変換テーブル３ａに基づいて変換される文字列の表示態様の変換候補として、電子メールの送り主や受取先固有の表示内容を設定する。これにより、入力される文字列を電子メールの送り主や受取先に特有の表示態様に変換することができ、電子メールの送り主や受取先に特有のメールを作成することができる。
また、入力された文字列が電子メールの送り主を特定する文字列であるか否かや、電子メールの受取先であるか否かの判定を、電子メールの送り主や受取先のアドレス情報に基づいて行うので、電子メールの作成中に、電子メールの送り主や受取先のアドレス情報と関連付けられている文字列が入力された場合には、当該文字列を電子メールの送り主や受取先に特有の表示態様に変換することができる。つまり、電子メールの送り主や受取先のアドレス情報と関連付けられていない文字列が入力されても、電子メールの送り主や受取先に特有の表示態様に変換することはないため、入力された文字列が誤って異なる表示態様に変換されてしまうことを防止することができる。
【００６８】
［実施形態２］
以下に、実施形態２の携帯端末２００について図９〜図１７を参照して説明する。
実施形態２の携帯端末２００は、背景内に被写体が存在する被写体存在画像Paから被写体が含まれる被写体領域を抽出し、当該被写体領域の画像を文字列の表示態様の変換候補として設定する。
なお、実施形態２の携帯端末２００は、以下に説明する以外の点で上記実施形態１の携帯端末１００と略同様の構成をなし、その説明は省略する。
【００６９】
図９は、実施形態２の携帯端末２００の概略構成を示すブロック図である。また、図１０は、被写体画像生成部１３の構成を模式的に示す図である。
図９に示すように、実施形態２の携帯端末２００は、送受話部１と、メール作成部２と、テーブル管理部３と、操作入力部４と、メモリ５と、記録媒体制御部６と、表示制御部７と、表示部８と、通信制御部９と、中央制御部１０とに加えて、撮像部１１と、画像データ生成部１２と、被写体画像生成部１３とを具備している。
【００７０】
撮像部１１は、レンズ部１１ａと、電子撮像部１１ｂと、撮像制御部１１ｃとを具備している。
レンズ部１１ａは、複数のレンズから構成され、ズームレンズやフォーカスレンズ等を備えている。また、レンズ部１１ａは、図示は省略するが、被写体の撮像の際に、ズームレンズを光軸方向に移動させるズーム駆動部、フォーカスレンズを光軸方向に移動させる合焦駆動部等を備えていても良い。
【００７１】
電子撮像部１１ｂは、例えば、ＣＣＤ（Charge Coupled Device）やＣＭＯＳ（Complementary Metal-oxide Semiconductor）等のイメージセンサから構成され、レンズ部１１ａの各種レンズを通過した光学像を二次元の画像信号に変換する。
【００７２】
撮像制御部１１ｃは、図示は省略するが、タイミング発生器、ドライバなどを備えている。そして、撮像制御部１１ｃは、タイミング発生器、ドライバにより電子撮像部１１ｂを走査駆動して、所定周期毎に光学像を電子撮像部１１ｂにより二次元の画像信号に変換させ、当該電子撮像部１１ｂの撮像領域から１画面分ずつ画像フレームを読み出して画像データ生成部１２に出力させる。
また、撮像制御部１１ｃは、ＡＦ（自動合焦処理）、ＡＥ（自動露出処理）、ＡＷＢ（自動ホワイトバランス）等の被写体を撮像する際の条件の調整制御を行う。
【００７３】
このように構成された撮像部１１は、撮像手段として、所定の背景内に被写体が存在する被写体存在画像Pa（図１４（ａ）参照）を撮像する。また、撮像部１１は、所定の背景内に被写体が存在しない被写体非存在画像Pb（図１５（ｄ）参照）を撮像する。
【００７４】
画像データ生成部１２は、電子撮像部１１ｂから転送された画像フレームのアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
カラープロセス回路から出力される輝度信号Ｙ及び色差信号Ｃｂ，Ｃｒは、図示しないＤＭＡコントローラを介して、バッファメモリとして使用されるメモリ５にＤＭＡ転送される。
【００７５】
表示制御部７は、撮像部１１による被写体の撮像により生成された複数の画像フレームに基づいてライブビュー画像を表示部８に表示させたり、記録媒体Ｍに記録される撮像画像として撮像されたレックビュー画像を表示部８に表示させる制御を行う。
具体的には、表示制御部７は、ＶＲＡＭ、ＶＲＡＭコントローラ、デジタルビデオエンコーダなど（何れも図示略）を備えている。そして、デジタルビデオエンコーダは、中央制御部１０の制御下にてメモリ５から読み出されてＶＲＡＭ（図示略）に記憶されている輝度信号Ｙ及び色差信号Ｃｂ，Ｃｒを、ＶＲＡＭコントローラを介してＶＲＡＭから定期的に読み出して、これらのデータを元にビデオ信号を発生して表示部８に出力する。
【００７６】
被写体画像生成部１３は、図１０に示すように、非平坦度演算部１４と、画像処理部１５とを具備している。
【００７７】
非平坦度演算部１４は、撮像部１１による撮像された背景内に被写体が存する被写体存在画像Paの非平坦度を演算する。具体的には、非平坦度演算部１４は、分割部１４ａと、ばらつき量算出部１４ｂを具備している。
【００７８】
分割部１４ａは、背景生成処理にて、被写体存在画像PaのＹＵＶデータに基づいて、当該被写体存在画像Paを複数の画像ブロックＢ、…に分割する（図１４（ｂ）参照）。
ばらつき量算出部１４ｂは、分割部１４ａにより分割された画像ブロックＢ内の画素値のばらつき量（非平坦度）を算出する。具体的には、ばらつき量算出部１４ｂは、背景生成処理にて、被写体存在画像Paの複数の画像ブロックＢ、…の各々についてのばらつき量として、標準偏差を下記式（１）に従って算出する。
【数１】
2012014311.tif 000003
なお、上記式（１）において、ｂ：各ブロック領域の画素値としては、例えば、輝度値が挙げられる。
【００７９】
画像処理部１５は、画像領域特定部１５ａと、画像領域判定部１５ｂと、背景生成部１５ｃと、位置合わせ部１５ｄと、マスク生成部１５ｅと、切抜画像生成部１５ｆとを具備している。
【００８０】
画像領域特定部１５ａは、被写体存在画像Paに含まれる非平坦度が所定値以下である画像領域を特定する。具体的には、画像領域特定部１５ａは、非平坦度演算部１４により演算された各画像ブロックＢの非平坦度の判定を行う非平坦度判定部ａ１を具備しており、当該非平坦度判定部ａ１による判定結果に基づいて、非平坦度が所定値以下である画像ブロックＢを特定する。
即ち、非平坦度判定部ａ１は、背景生成処理にて、ブロック内の画素値のばらつき量が所定値以下であるか否かを判定する。具体的には、非平坦度判定部ａ１は、例えば、画像ブロックＢ内の画素値のばらつき量（非平坦度）の小さい無地の背景をバックに被写体を撮像した場合、被写体存在画像Paの複数の画像ブロックＢ、…のうち、被写体Ｓを含む画像ブロックＢ（図１４（ｂ）参照）については、ブロック内の画素値のばらつき量が大きく、画素値のばらつき量が所定値以下であると判定しない。一方で、非平坦度判定部ａ１は、被写体存在画像Paの複数の画像ブロックＢのうち、被写体Ｓを含まない画像ブロックＢは、ブロック内の画素値のばらつき量が被写体Ｓを含む画像ブロックＢに比して大幅に小さくなり、画素値のばらつき量が所定値以下であると判定する。
そして、画像領域特定部１５ａは、非平坦度判定部ａ１による判定の結果、ブロック内の画素値の非平坦度が所定値以下であると判定された少なくとも一の画像ブロックＢを含んでなる画像領域を特定する。
【００８１】
画像領域判定部１５ｂは、被写体存在画像Paのブロック内の画素値のばらつき量が所定値以下である画像ブロックＢの数が必要ブロック数以上あるか否かを判定する。
即ち、例えば、画像領域判定部１５ｂは、被写体存在画像Paのブロック内の画素値のばらつき量が所定値以下である画像ブロックＢの数が必要ブロック数以上あるか否かにより、被写体存在画像Paにおける非平坦度が所定値以下である画像領域の範囲が所定の範囲以上であるか否かを判定する。
なお、必要ブロック数は、予め設定されており、その数は任意であるが、例えば全ての画像ブロックＢの数Bmaxの半数が必要ブロック数として設定される。
【００８２】
背景生成部１５ｃは、クロマキー技術を利用して被写体領域を抽出するための抽出用背景画像Pcを生成する。
即ち、背景生成部１５ｃは、画像領域判定部１５ｂによって、被写体存在画像Paのブロック内の画素値のばらつき量が所定値以下である画像ブロックＢの数が必要ブロック数以上あると判定された場合に、当該画像ブロックＢの色とほぼ等しい色を背景色とする抽出用背景画像Pcを生成する。例えば、図１４（ａ）に示すように、背景生成部１５ｃは、無地の背景をバックに被写体Ｓを撮影した場合には、無地の背景とほぼ等しい色の抽出用背景画像Pcを生成する。
なお、クロマキーとは、特定の色背景を用いて一の画像データから被写体Ｓを切り抜く手法である。クロマキーでは、通常、背景に被写体Ｓと補色の関係にある青や緑のスクリーンを用いるようになっており、被写体存在画像Paのブロック内の画素値のばらつき量が所定値以下である画像ブロックＢとほぼ等しい色の抽出用背景画像Pcを生成することで、抽出用背景画像Pcと被写体存在画像Paの色情報を基にして背景部分と被写体部分を分離することができる。
【００８３】
位置合わせ部１５ｄは、被写体存在画像Paと被写体非存在画像Pbとの位置合わせを行う。
即ち、位置合わせ部１５ｄは、被写体非存在画像Pbの撮像後にメモリ５に一時記憶された被写体非存在画像Pbの画像データから抽出した特徴点（例えば、高周波成分の多い特徴の高いブロック領域等）に基づいて、被写体非存在画像Pbに対する被写体存在画像Paの各画素の座標変換式（射影変換行列）を算出し、当該座標変換式に従って被写体存在画像Paを座標変換して被写体非存在画像Pbと位置合わせを行う。
具体的には、位置合わせ部１５ｄは、特徴抽出処理にて抽出された複数の特徴点（ブロック領域）の動きベクトルを多数決により演算して、統計的に所定％（例えば、５０％）以上となると判断された動きベクトルを全体の動きベクトルとして、当該動きベクトルに係る特徴点対応を用いて被写体存在画像Paの射影変換行列を算出する。そして、位置合わせ部１５ｄは、射影変換行列に従って被写体存在画像Paを座標変換して被写体非存在画像Pbと位置合わせを行う。
【００８４】
マスク生成部１５ｅは、被写体存在画像Paから被写体領域を抽出するためのマスク画像を生成する。
即ち、マスク生成部１５ｅは、抽出用背景画像Pcと被写体存在画像Paの対応する各画素の相違度Ｄを下記式（２）に従って算出して相違度マップを生成する。同様に、マスク生成部１５ｅは、被写体非存在画像Pbを背景画像として、被写体存在画像Paとの対応する各画素の相違度Ｄを下記式（２）に従って算出して相違度マップを生成する。
【数２】
2012014311.tif 000004
なお、上記式にあっては、背景画像のＹＵＶデータを「Y」、「U」、「V」で表し、被写体存在画像PaのＹＵＶデータを「Yc」、「Uc」、「Vc」で表す。また、Ｇは、色差信号U、Vのゲインを表している。
そして、マスク生成部１５ｅは、生成した相違度マップを所定の閾値で二値化（０、２５５）してマスク画像を生成する。
【００８５】
また、マスク生成部１５ｅは、細かいノイズを除去するための収縮処理を行って所定値よりも小さい画素集合を除いた後、収縮分を修正するための膨張処理を行い、その後、同じ連結成分を構成する画素集合に同じ番号を付けるラベリング処理により、有効領域の構成画素数における所定の比率以下の領域を有効領域に置き換えることで穴埋めも行う。さらに、マスク生成部１５ｅは、領域情報に対して平均化フィルタをかけて領域の縁部に合成階調をつける。
【００８６】
切抜画像生成部１５ｆは、被写体Ｓの画像を所定の単一色背景画像と合成して被写体切り抜き画像Pdの画像データを生成する。
即ち、切抜画像生成部１５ｆは、クロマキー技術を利用して、マスク生成部１５ｅにより生成されたマスク画像を用いて被写体存在画像Paから被写体領域を切り出して、単一色背景画像と合成して被写体切り抜き画像Pdの画像データを生成する（図１４（ｄ）参照）。なお、マスク画像の縁部分には、合成階調がつけられているため、切り出された被写体領域と単一色背景画像との境界部分がはっきりしていない自然な感じに合成することができる。単一色背景画像の色は任意であるが、例えばグレー等の色が挙げられる。
ここで、切抜画像生成部１５ｆは、背景内に被写体が存在する被写体存在画像Paから被写体が含まれる被写体領域を抽出する抽出手段を構成している。
【００８７】
記録媒体制御部６は、画像処理部１５のマスク生成部１５ｅにより生成されたマスク画像と、被写体切り抜き画像Pdの画像データをそれぞれ圧縮した上で対応付けて、当該被写体切り抜き画像Pdの画像データの拡張子を「.jpe」として記録媒体Ｍに保存させる。
【００８８】
＜被写体切り抜き処理＞
次に、実施形態２の携帯端末２００による被写体切り抜き処理について、図１１〜図１５を参照して説明する。
図１１は、被写体切り抜き処理に係る動作の一例を示すフローチャートである。また、図１２は、被写体切り抜き処理における背景生成処理に係る動作の一例を示すフローチャートである。また、図１３は、被写体切り抜き処理における領域検出処理に係る動作の一例を示すフローチャートである。また、図１４及び図１５は、被写体切り抜き処理に係る画像の一例を模式的に示す図である。
【００８９】
被写体切り抜き処理は、ユーザによる操作入力部４の所定操作に基づいて、メニュー画面に表示された複数の撮像モードの中から被写体切り抜きモードが選択指示された場合に実行される処理である。
なお、以下の説明にあっては、被写体Ｓとして、例えば、ヒトを例示し、当該被写体Ｓの背景は、画像ブロックＢ内の画素値のばらつき量（非平坦度）の小さい無地の背景の場合（図１４参照）と、画像ブロックＢ内の画素値のばらつき量（非平坦度）の大きい背景の場合（図１５参照）とがある。
【００９０】
図１１に示すように、先ず、ユーザによる操作入力部４のシャッタボタン（図示略）の所定操作に基づいて、撮像制御部１１ｃは、被写体Ｓ（図１４（ａ）及び図１５（ａ）参照）の光学像を所定の撮像条件で電子撮像部１１ｂにより撮像させ（ステップＳ５１）、電子撮像部１１ｂから転送された被写体存在画像Paの画像フレームに基づいて、画像データ生成部１２４が被写体存在画像PaのＹＵＶデータを生成する。
また、ステップＳ５１の処理に基づいて、表示制御部７は、中央制御部１０の制御下にて、被写体存在画像Paを表示部８の表示画面に表示させてもよい。
【００９１】
次に、中央制御部１０は、ステップＳ５１により得られた被写体存在画像Paの枚数を定数Ｍ（例えば、Ｍ＝１）として設定し（ステップＳ５２）、メモリ５に書き込む。
次に、中央制御部１０は、被写体画像生成部１３に、被写体存在画像Paから被写体領域を抽出するための抽出用背景画像Pcを生成させる抽出用背景生成処理を行わせる（ステップＳ５３）。
【００９２】
＜抽出用背景生成処理＞
ここで、抽出用背景生成処理について図１２を参照して詳細に説明する。
図３に示すように、まず、中央制御部１０は、処理ブロックカウンタSBC及び有効ブロックカウンタYBCをそれぞれ初期値０で設定し（ステップＳ７１）、メモリ５に書き込む。
そして、非平坦度演算部１４の分割部１４ａは、被写体存在画像PaのＹＵＶデータに基づいて、当該被写体存在画像Paを複数の画像ブロックＢ、…（図１４（ｂ）及び図１５（ｂ）参照）に分割し、分割された複数の画像ブロックの総数を定数Bmaxとして設定し（ステップＳ７２）、メモリ５に書き込む。
【００９３】
続けて、非平坦度演算部１４のばらつき量算出部１４ｂは、被写体存在画像Paの複数の画像ブロックＢ、…のうち、まだ画素値のばらつき量としての標準偏差を算出していない画像ブロックＢのうち一つの画像ブロックＢについて、画素値のばらつき量としての標準偏差を式（１）に従って算出する（ステップＳ７３）。
【数３】
2012014311.tif 000005
【００９４】
次に、画像処理部１５の非平坦度判定部ａ１は、算出された画像ブロックＢのばらつき量が所定値以下であるか否かを判定する（ステップＳ７４）。
ここで、ばらつき量が所定値以下であると判定されると（ステップＳ７４；ＹＥＳ）、画像処理部１５は、ステップＳ７４においてばらつき量が所定値以下であると判定された画像ブロックＢの平均色を算出する（ステップＳ７５）。そして、中央制御部１０は、有効ブロックカウンタYBCに１を加算（YBC＝YBC＋1）する（ステップＳ７６）。
そして、中央制御部１０は、処理ブロックカウンタSBCに１を加算（SBC＝SBC＋1）する（ステップＳ７７）。
【００９５】
一方、ステップＳ７４にて、ばらつき量が所定値以下でないと判定されると（ステップＳ７４；ＮＯ）、中央制御部１０は、ステップＳ７５、Ｓ７６の処理を行わず、処理をステップＳ７７に移行して、処理ブロックカウンタSBCに１を加算（SBC＝SBC＋1）する。
【００９６】
ステップＳ７７の処理後、中央制御部１０は、処理ブロックカウンタSBCの値が画像ブロックの総数Bmaxの値と等しいか否かを判定する（ステップＳ７８）。
ここで、処理ブロックカウンタSBCの値が画像ブロックの総数Bmaxの値と等しくないと判定されると（ステップＳ７８；ＮＯ）、中央制御部１０は、処理をステップＳ７３に移行して、各部によるそれ以降の処理を行う。つまり、ばらつき量算出部１４ｂが全ての画像ブロックＢに対して画素値のばらつき量としての標準偏差を算出し、非平坦度判定部ａ１が画素値のばらつき量が所定値以下であるか否かを判定する。そして、中央制御部１０は、ばらつき量が所定値以下であると判定された画像ブロックＢの数を有効ブロックカウンタYBCの値によりカウントする。
【００９７】
そして、全ての画素ブロックに対する画素値のばらつき量としての標準偏差の算出及びそのばらつき量が所定値以下であるか否かが判定されると、ステップＳ７８にて、処理ブロックカウンタSBCの値が画像ブロックの総数Bmaxの値と等しいと判定され（ステップＳ７８；ＹＥＳ）、画像処理部１５の画像領域判定部１５ｂは、有効ブロックカウンタYBCの値が必要ブロック数以上であるか否かを判定する（ステップＳ７９）。
【００９８】
ステップＳ７９にて、有効ブロックカウンタYBCの値が必要ブロック数以上であると判定されると（ステップＳ７９；ＹＥＳ）、画像処理部１５は、ばらつき量が所定値以下であると判定された画像ブロックＢのうち、同一色であるとみなすことができる色のブロック数を同一ブロック数として算出する（ステップＳ８０）。
そして、画像領域判定部１５ｂは、同一ブロック数のうち、最大の値をとる最多同一ブロック数を特定して、当該最多同一ブロック数が必要ブロック数以上であるか否かを判定する（ステップＳ８１）。
【００９９】
ステップＳ８１にて、最多同一ブロック数が必要ブロック数以上であると判定されると（ステップＳ８１；ＹＥＳ）、画像処理部１５の背景生成部１５ｃは、最多同一ブロック数に計数された画像ブロックＢの平均色を背景色とする抽出用背景画像PcのＹＵＶデータを生成（ステップＳ８２；図１４（ｃ）参照）して、抽出用背景の生成成功とする（ステップＳ８３）。
【０１００】
一方、ステップＳ８１にて、最多同一ブロック数が必要ブロック数以上でないと判定された場合（ステップＳ８１；ＮＯ）、例えば、ばらつきのない安定した画像ブロックＢがあっても、ほぼ等しい色のブロックが必要ブロック数以上ない場合等には背景が特定できないため、背景生成部１５ｃは、抽出用背景画像Pcを生成せずに、抽出用背景生成失敗とする（ステップＳ８４）。
また、ステップＳ７９にて有効ブロックカウンタYBCの値が必要ブロック数以上でないと判定された場合（ステップＳ７９；ＮＯ）、ばらつきのない安定した画像ブロックＢがないために背景が特定できないことから、背景生成部１５ｃは、抽出用背景画像Pcを生成せずに、抽出用背景の生成失敗とする（ステップＳ８４）。
これにより、抽出用背景生成処理を終了する。
【０１０１】
このように、例えば、図１４（ａ）に示すように、被写体Ｓの背景が、画像ブロックＢ内の画素値のばらつき量（非平坦度）の小さい無地の背景の場合には、当該抽出用背景生成処理にて、抽出用背景の生成成功となる（ステップＳ８３）。一方、図１５（ａ）に示すように、被写体Ｓの背景が、画像ブロックＢ内の画素値のばらつき量（非平坦度）の大きい背景の場合には、当該抽出用背景生成処理にて、抽出用背景の生成失敗となる（ステップＳ８４）。
【０１０２】
図１１に示すように、次に、中央制御部１０は、背景生成部１５ｃに、抽出用背景生成が成功した（ＯＫ）か否かを判定させる（ステップＳ５４）。
ここで、抽出用背景生成が成功した（ＯＫ）と判定されると（ステップＳ５４；ＹＥＳ）、中央制御部１０は、被写体切り抜き処理を完了した被写体存在画像Paの枚数を管理するためのカウンタＮを初期値０で設定し（ステップＳ５５）、メモリ５に書き込む。
一方、抽出用背景生成が失敗したと判定されると（ステップＳ５４；ＮＯ）、撮像制御部１１ｃは、ユーザによる操作入力部４のシャッタボタン（図示略）の所定操作に基づいて、被写体存在画像Paと同一の背景内に被写体Ｓの存在しない状態で、当該背景のみの光学像（図１５（ｃ）参照）を所定の撮像条件で電子撮像部１１ｂにより撮像させ（ステップＳ５６）、電子撮像部１１ｂから転送された被写体存在画像Paの画像フレームに基づいて、画像データ生成部１２４が被写体非存在画像PbのＹＵＶデータ（図１５（ｄ）参照）を生成する。
また、ステップＳ５５の処理に基づいて、表示制御部７は、中央制御部１０の制御下にて、被写体非存在画像Pbを表示部８の表示画面に表示させてもよい。
その後、中央制御部１０は、処理をステップＳ５５に移行して、被写体切り抜き処理を完了した被写体存在画像Paの枚数を管理するためのカウンタＮを初期値０で設定し（ステップＳ５５）、メモリ５に書き込む。
【０１０３】
次に、中央制御部１０は、背景生成部１５ｃに、抽出用背景生成が成功した（ＯＫ）か否かを判定させる（ステップＳ５７）。
ここで、抽出用背景生成が成功した（ＯＫ）と判定されると（ステップＳ５７；ＹＥＳ）、中央制御部１０は、画像処理部１５に、未だ領域検出処理を施されていない一の被写体存在画像Paから被写体Ｓが含まれる被写体領域を検出する領域検出処理を行わせる（ステップＳ５８）。
【０１０４】
一方、ステップＳ５７にて、抽出用背景生成が失敗したと判定されると（ステップＳ５７；ＮＯ）、中央制御部１０は、画像処理部１５の位置合わせ部１５ｄに、被写体存在画像Paと被写体非存在画像Pbとの位置合わせを行わせる（ステップＳ５９）。
具体的には、位置合わせ部１５ｄは、被写体非存在画像Pbの撮像後にメモリ５に一時記憶された被写体非存在画像Pbの画像データから抽出した特徴点（例えば、高周波成分の多い特徴の高いブロック領域等）に基づいて、被写体非存在画像Pbに対する被写体存在画像Paの各画素の座標変換式（射影変換行列）を算出し、当該座標変換式に従って被写体存在画像Paを座標変換して被写体非存在画像Pbと位置合わせを行う。
その後、中央制御部１０は、処理をステップＳ５８に移行して、画像処理部１５に、被写体存在画像Paから被写体Ｓが含まれる被写体領域を検出する領域検出処理を行わせる（ステップＳ５８）。
【０１０５】
＜領域検出処理＞
ここで、領域検出処理について図１３を参照して詳細に説明する。
図１３に示すように、画像処理部１５のマスク生成部１５ｅは、背景画像のＹＵＶデータと被写体存在画像PaのＹＵＶデータとの間で対応する各画素の相違度Ｄを式（２）に従って算出して相違度マップを生成する（ステップＳ９１）。具体的には、抽出用背景生成が成功した（ＯＫ）場合には、背景画像として抽出用背景画像Pcを用い、一方、抽出用背景生成が失敗した場合には、背景画像として被写体非存在画像Pbを用いるものとする。また、この場合には、被写体非存在画像Pbと被写体存在画像Paとは位置合わせされた後の画像データが対象となる。
【数４】
2012014311.tif 000006
【０１０６】
次に、マスク生成部１５ｅは、生成した相違度マップを所定の閾値で二値化してマスク画像データを生成する（ステップＳ９２）。そして、マスク生成部１５ｅは、例えば、背景（二値化；０）の領域が著しく小さいか否か等を判定することで、二値化が成功したか否かを判定する（ステップＳ９３）。
ここで、二値化に成功したと判定されると（ステップＳ９３；ＹＥＳ）、マスク生成部１５ｅは、被写体領域の周辺部の残り過ぎを修正したり細かいノイズを除去するため、マスク画像データに対する収縮処理を行って所定値よりも小さい画素集合を除いた後（ステップＳ９４）、収縮分を修正するための膨張処理を行う（ステップＳ９５）。
【０１０７】
続けて、被写体Ｓに背景色と似たような色がある場合、マスク画像の被写体領域内が欠損するため、マスク生成部１５ｅは、同じ連結成分を構成する画素集合に同じ番号を付けるラベリング処理により、マスク画像データの有効領域の構成画素数における所定の比率以下の領域を有効領域に置き換えることで穴埋めを行う（ステップＳ９６）。
その後、マスク生成部１５ｅは、マスク画像データに対して平均化フィルタをかけて、被写体領域の縁部に合成階調をつけて（ステップＳ９７）、領域検出成功とする（ステップＳ９８）。
【０１０８】
一方、ステップＳ９３にて、二値化に成功しなかったと判定されると（ステップＳ９３；ＮＯ）、例えば、背景（二値化；０）の領域が著しく小さい場合などには、マスク生成部１５ｅは、二値化に失敗したとみなして領域検出失敗とする（ステップＳ９９）。
これにより、領域検出処理を終了する。
【０１０９】
図１１に示すように、領域検出処理の終了後、中央制御部１０は、マスク生成部１５ｅに、被写体領域の検出が成功したか否かを判定させる（ステップＳ６０）。
ここで、被写体領域の検出が成功したと判定されると（ステップＳ６０；ＹＥＳ）、中央制御部１０は、画像処理部１５の切抜画像生成部１５ｆに、クロマキー技術を利用して、領域検出処理にて生成されたマスク画像を用いて被写体存在画像Paから被写体領域を切り出して、単一色背景画像と合成して被写体切り抜き画像Pd（図１４（ｄ）参照）の画像データを生成させる（ステップＳ６１）。
具体的には、切抜画像生成部１５ｆは、被写体存在画像Pa、単一色背景画像及びマスク画像データを読み出してメモリ５に展開した後、被写体存在画像Paのうち、マスク画像データの塗りつぶした部分（被写体Ｓ以外の部分）で覆われる画素については、単一色背景画像の所定の単一色で塗りつぶす一方で、被写体部分の画素については、何もせずに所定の単一色に対して透過させないようにする。なお、マスク画像の縁部分には、合成階調がつけられているため、切り出された被写体領域と単一色背景画像との境界部分がはっきりしていない自然な感じとなる。
【０１１０】
そして、記録媒体制御部６は、記録媒体Ｍの所定の記憶領域に、画像処理部１５のマスク生成部１５ｅにより生成されたマスク画像データと被写体切り抜き画像Pdの画像データを対応付けて、当該被写体切り抜き画像Pdの画像データの拡張子を「.jpe」として一ファイルで保存させる（ステップＳ６２）。
その後、中央制御部１０は、カウンタＮに１を加算する（ステップＳ６３）。
【０１１１】
一方、ステップＳ６０において、被写体領域の検出が失敗したと判定されると（ステップＳ６０；ＮＯ）、中央制御部１０は、ステップＳ６１、Ｓ６２の処理を行わず、処理をステップＳ６３に移行して、カウンタＮに１を加算する。
【０１１２】
ステップＳ６３の処理後、中央制御部１０は、カウンタＮの値が被写体存在画像Paの枚数Ｍと等しいか否かを判定する（ステップＳ６４）。
ここで、カウンタＮの値が被写体存在画像Paの枚数Ｍと等しくないと判定されると（ステップＳ６４；ＮＯ）、中央制御部１０は、処理をステップＳ５７に移行して、それ以降の処理を行う。一方、ステップＳ６４にて、カウンタＮの値が被写体存在画像Paの枚数Ｍと等しいと判定されると（ステップＳ６４；ＹＥＳ）、全ての被写体存在画像Paに対する各処理が終了したため、中央制御部１０は、被写体切り抜き処理を終了する。
【０１１３】
＜アドレス登録処理＞
次に、実施形態２の携帯端末２００によるアドレス登録処理について図４及び図１６を参照して説明する。
図１６は、実施形態２の携帯端末２００のテーブル管理部３に記憶されている変換テーブル３ａの一例を模式的に示す図である。
なお、以下に説明するアドレス登録処理にあっては、画像の登録対象を被写体切り抜き画像Pdとする以外の点で、実施形態１の携帯端末１００によるアドレス登録処理（図４参照）と同様であり、その詳細な説明を省略する。
【０１１４】
図４に示すように、先ず、中央制御部１０は、記録媒体Ｍに記録されている複数の画像の中から、ユーザによる操作入力部４の所定操作に基づいて変換候補（表示内容）としての所定の画像（例えば、被写体切り抜き画像Pd；図１４（ｄ）参照）等）の選択指示が入力されているか否かを判定する（ステップＳ１）。
ここで、所定の画像の選択指示が入力されていると判定されると（ステップＳ１；ＹＥＳ）、テーブル管理部３は、中央制御部１０から出力された画像の選択指示の入力に基づいて、選択された画像（例えば、被写体切り抜き画像Pd等）を送り主固有の表示内容の登録対象として指定する（ステップＳ２）。
【０１１５】
次に、テーブル管理部３は、選択された画像（登録対象）を登録して良いか否か（ＯＫか否か）を判定する（ステップＳ３）。
ここで、登録対象を変更する場合、即ち、選択された画像を登録しないと判定された場合（ステップＳ３；ＮＯ）、中央制御部１０は、処理をステップＳ１に移行して、ユーザによる操作入力部４の所定操作に基づいて他の画像の選択指示を受け付ける。
【０１１６】
一方、ステップＳ３にて、選択された画像を登録して良いと判定された場合（ステップＳ３；ＹＥＳ）、操作入力部４の所定操作に基づいて入力される電子メールアドレス（例えば、送り主の電子メールアドレス等）の指定を受け付けた後（ステップＳ４）、テーブル管理部３は、指定された電子メールアドレスを登録して良いか否か（ＯＫか否か）を判定する（ステップＳ５）。
ここで、登録対象を変更する場合、即ち、指定された電子メールアドレスを登録しないと判定された場合（ステップＳ５；ＮＯ）、テーブル管理部３は、処理をステップＳ４に移行して、ユーザによる操作入力部４の所定操作に基づいて他の電子メールアドレスの指定を受け付ける。
【０１１７】
一方、ステップＳ５にて、指定された電子メールアドレスを登録して良いと判定された場合（ステップＳ５；ＹＥＳ）、テーブル管理部３は、ステップＳ２にて指定された画像（例えば、被写体切り抜き画像Pd等）と、ステップＳ４にて指定された電子メールアドレス（例えば、送り主の電子メールアドレス等）とを対応付けて変換テーブル３ａに登録する（ステップＳ６）。
次に、中央制御部１０は、記録媒体Ｍに記録されている複数の画像の中から、ユーザによる操作入力部４の所定操作に基づいて登録対象となる次の画像（例えば、受取先の被写体切り抜き画像Pd等）の登録指示が入力されているか否かを判定する（ステップＳ７）。
ここで、次の画像の登録指示が入力されていると判定されると（ステップＳ７；ＹＥＳ）、中央制御部１０は、処理をステップＳ１に移行して、ユーザによる操作入力部４の所定操作に基づいて他の画像の選択指示を受け付ける。
【０１１８】
一方、ステップＳ７にて、次の画像の登録指示が入力されていないと判定されると（ステップＳ７；ＮＯ）、中央制御部１０は、当該アドレス登録処理を終了させる。
【０１１９】
＜変換候補登録処理＞
次に、実施形態２の携帯端末２００による変換候補登録処理について図５及び図１６を参照して説明する。
なお、以下に説明する変換候補登録処理にあっては、画像の登録対象を送り主の被写体切り抜き画像Pdとする以外の点で、実施形態１の携帯端末１００による変換候補登録処理（図５参照）と同様であり、その詳細な説明を省略する。
【０１２０】
図５に示すように、先ず、中央制御部１０は、変換テーブル３ａに登録されている複数の画像の中から、ユーザによる操作入力部４の所定操作に基づいて変換候補（表示内容）としての所定の画像（例えば、被写体切り抜き画像Pd等）の選択指示が入力されているか否かを判定する（ステップＳ１１）。
ここで、所定の画像の選択指示が入力されていると判定されると（ステップＳ１１；ＹＥＳ）、テーブル管理部３は、中央制御部１０から出力された画像の選択指示の入力に基づいて、選択された画像を送り主固有の表示内容の登録対象として指定する（ステップＳ１２）。
【０１２１】
次に、テーブル管理部３は、選択された画像（登録対象）を登録して良いか否か（ＯＫか否か）を判定する（ステップＳ１３）。
ここで、登録対象を変更する場合、即ち、選択された画像を登録しないと判定された場合（ステップＳ１３；ＮＯ）、中央制御部１０は、処理をステップＳ１１に移行して、ユーザによる操作入力部４の所定操作に基づいて他の画像の選択指示を受け付ける。
【０１２２】
一方、ステップＳ１３にて、選択された画像を登録して良いと判定された場合（ステップＳ３；ＹＥＳ）、操作入力部４の所定操作に基づいて入力される画像の読み方、即ち、送り主を特定する文字列（例えば、「わたし」や「送り主の名前」等）の入力を受け付けた後（ステップＳ１４）、テーブル管理部３は、入力された画像の読み方（送り主を特定する文字列）を登録して良いか否か（ＯＫか否か）を判定する（ステップＳ１５）。
ここで、画像の読み方を変更する場合、即ち、入力された読み方（送り主を特定する文字列）を登録しないと判定された場合（ステップＳ１５；ＮＯ）、テーブル管理部３は、処理をステップＳ１４に移行して、ユーザによる操作入力部４の所定操作に基づいて他の読み方の入力を受け付ける。
【０１２３】
一方、ステップＳ１５にて、入力された読み方を登録して良いと判定された場合（ステップＳ１５；ＹＥＳ）、テーブル管理部３は、ステップＳ１２にて指定された画像（例えば、被写体切り抜き画像Pd等）と、ステップＳ１４にて入力された読み方（例えば、送り主を特定する文字列等）とを対応付けて変換テーブル３ａに登録する（ステップＳ１６）。
次に、中央制御部１０は、変換テーブル３ａに登録されている複数の画像の中から、ユーザによる操作入力部４の所定操作に基づいて登録対象となる次の画像（例えば、受取先の被写体切り抜き画像Pd等）の登録指示が入力されているか否かを判定する（ステップＳ１７）。
ここで、次の画像の登録指示が入力されていると判定されると（ステップＳ１７；ＹＥＳ）、中央制御部１０は、処理をステップＳ１１に移行して、ユーザによる操作入力部４の所定操作に基づいて他の画像の選択指示を受け付ける。
【０１２４】
一方、ステップＳ１７にて、次の画像の登録指示が入力されていないと判定されると（ステップＳ１７；ＮＯ）、中央制御部１０は、当該変換候補登録処理を終了させる。
【０１２５】
＜表示内容変換処理＞
次に、実施形態２の携帯端末２００による表示内容変換処理について図６、図７及び図１７を参照して説明する。
図１７は、表示内容変換処理に係る画像の一例を模式的に示す図である。
なお、以下に説明する変換候補登録処理にあっては、送り主固有の表示内容として被写体切り抜き画像Pdを適用する以外の点で、実施形態１の携帯端末１００による表示内容変換処理（図６及び図７参照）と同様であり、その詳細な説明を省略する。
【０１２６】
図６に示すように、先ず、ユーザによる操作入力部４の所定操作に基づいて所定の文字列（例えば、「わたし」等）が入力されると（ステップＳ２１）、変換候補設定制御部２ｂは、操作入力部４の所定操作（例えば、表示部８に表示されている「変換」ボタンのGUI操作等に基づいて）に基づいて変換指示が入力されているか否かを判定する（ステップＳ２２）。
ここで、変換指示が入力されていると判定されると（ステップＳ２２；ＹＥＳ）、変換候補設定制御部２ｂは、変換テーブル３ａを参照して入力された所定の文字列に対応する装飾画像がデフォルトとして登録されているか否かを判定する（ステップＳ２３）。
【０１２７】
ステップＳ２３にて、所定の文字列に対応する装飾画像が登録されていないと判定されると（ステップＳ２３；ＮＯ）、図７に示すように、変換候補設定制御部２ｂは、文字列（例えば、「わたし」等）の入力が電子メールの作成中の入力であるか否かを判定する（ステップＳ２４）。
ここで、文字列の入力が電子メールの作成中の入力であると判定されると（ステップＳ２４；ＹＥＳ）、変換候補設定制御部２ｂの判定部ｂ１は、文字列（例えば、「わたし」等）が電子メールの受取先を特定する文字列であるか否かを判定する（ステップＳ２５）。
【０１２８】
ステップＳ２５にて、受取先を特定する文字列でないと判定されると（ステップＳ２５；ＮＯ）、変換候補設定制御部２ｂの判定部ｂ１は、文字列（例えば、「わたし」等）が電子メールの送り主を特定する文字列であるか否かを判定する（ステップＳ２６；図１７（ａ）参照）。
ここで、電子メールの送り主を特定する文字列であると判定されると（ステップＳ２６；ＹＥＳ）、変換候補設定制御部２ｂの判定部ｂ１は、変換テーブル３ａ（図３参照）を参照して、送り主の電子メールアドレスと対応付けて登録されている画像（例えば、被写体切り抜き画像Pd等）があるか否かを判定する（ステップＳ２７）。
【０１２９】
ステップＳ２７にて、送り主の電子メールアドレスと対応付けて登録されている画像があると判定されると（ステップＳ２７；ＹＥＳ）、図６に示すように、変換候補設定制御部２ｂは、入力された文字列（例えば、「わたし」等）の変換候補として、変換候補登録処理にて登録された画像（例えば、被写体切り抜き画像Pd等）を含む変換候補リストを生成する（ステップＳ２８）。
【０１３０】
その後、変換候補設定制御部２ｂにより生成された変換候補リストに基づいて表示部８に表示された変換候補の中から、ユーザによる操作入力部４の所定操作に基づいて所定の変換候補の選択が行われる（ステップＳ２９）。このとき、ユーザによる操作入力部４の所定操作に基づいて所定の変換候補としての画像（例えば、被写体切り抜き画像Pd等）が選択されると、文字列変換部２ａは、入力された文字列（例えば、「わたし」等）を画像（例えば、被写体切り抜き画像Pd等）に変換し、表示制御部７は、当該変換結果に対応する画像データを生成して表示部８に表示させて（図１７（ｂ）参照）、当該表示内容変換処理を終了する。
【０１３１】
一方、ステップＳ２７にて、送り主の電子メールアドレスと対応付けて登録されている画像がないと判定されると（ステップＳ２７；ＮＯ）、変換候補設定制御部２ｂは、入力された文字列（例えば、「わたし」等）の変換候補として、変換候補登録処理にて登録された画像を含まない通常の変換候補リストを生成する（ステップＳ３０）。
なお、ステップＳ３０以降の処理は、上記実施形態１の表示内容変換処理と同様であり、その説明は省略する。即ち、受取先を特定する文字列が入力された場合に、当該受取先の被写体切り抜き画像Pdが記録されている場合には、当該被写体切り抜き画像Pdを含む変換候補リストが作成される。
【０１３２】
以上のように、実施形態２の携帯端末２００によれば、背景内に被写体が存在する被写体存在画像Paを撮像し、当該被写体存在画像Paから被写体が含まれる被写体領域を抽出して被写体切り抜き画像Pdを生成する。そして、生成された当該被写体切り抜き画像Pdを文字列の表示態様の変換候補として設定するので、入力される文字列を電子メールの送り主や受取先に特有の表示態様、即ち、当該送り主や受取先に関連する被写体切り抜き画像Pdに変換することができ、電子メールの送り主や受取先に特有のメールを作成することができる。
【０１３３】
＜変形例１＞
以下に、変形例１の携帯端末について図１８を参照して説明する。
変形例１の携帯端末は、メールの送り主及び受取先のうち、一方の人物がアドレス帳テーブル３ｂに登録されている場合に、文字列変換部２ａにより変換テーブル３ａに基づいて変換される人物を特定する文字列の表示態様の変換候補の内容として、被写体切り抜き画像Pdを設定する。
なお、変形例１の携帯端末は、以下に説明する以外の点で上記実施形態２の携帯端末２００と略同様の構成をなし、その説明は省略する。
【０１３４】
アドレス帳テーブル３ｂは、人物の氏名と、当該人物の顔画像とを対応付けて記憶している。即ち、アドレス帳テーブル３ｂは、例えば、人物の氏名、電子メール（E-mail）アドレス、電話番号、住所等を対応付けて記憶しているとともに、当該人物の顔画像を対応付けて記憶している。
なお、アドレス帳テーブル３ｂには、少なくとも一人登録されていれば良く、また、登録されている人物は、送り主であっても良いし、受取先であっても良い。
ここで、テーブル管理部３は、少なくとも一の人物の顔画像を登録する登録手段を構成している。
【０１３５】
また、テーブル管理部３は、切抜画像生成部１５ｆにより抽出された被写体領域の人物がアドレス帳テーブル３ｂに登録されているか否かを判定する。即ち、テーブル管理部３は、例えば、被写体切り抜き画像Pdから顔検出処理等により被写体の顔画像を検出した後、検出された顔画像をテンプレートとして、当該顔画像の人物がアドレス帳テーブル３ｂに登録されているか否かを特定する顔認識処理を行って、被写体領域の人物がアドレス帳テーブル３ｂに登録されているか否かを判定する。
なお、顔検出処理及び顔認識処理は、公知の技術であるので、ここでは詳細な説明を省略する。
そして、被写体領域の人物がアドレス帳テーブル３ｂに登録されていると判定されると、テーブル管理部３は、当該人物を特定する文字列としての人物の名前と、被写体切り抜き画像Pdとを対応付けて変換テーブル３ａに登録する。また、このとき、テーブル管理部３は、人物の名前及び被写体切り抜き画像Pdに加えて、当該人物の電子メールアドレスも対応付けて記憶する。
このように、テーブル管理部３は、人物の名前の表示態様の変換候補として、被写体切り抜き画像Pdを変換テーブル３ａに対応付けて記憶する。
【０１３６】
そして、判定部ｂ１は、ユーザによる操作入力部４の所定操作に基づいて入力された文字列が電子メールの送り主や受取人を特定する文字列であるか否かを変換テーブル３ａに登録されている電子メールアドレスに基づいて判定する。当該判定の結果、文字列が電子メールの送り主や受取人を特定する文字列であると判定された場合に、変換候補設定制御部２ｂは、文字列変換部２ａにより変換テーブル３ａに基づいて変換される送り主や受取人である人物を特定する文字列の表示態様の変換候補の内容として、被写体領域の画像を設定する。
【０１３７】
＜被写体画像登録処理＞
次に、変形例１の携帯端末による被写体画像登録処理について図１８を参照して説明する。
被写体画像登録処理は、被写体切り抜き処理にて被写体切り抜き画像Pdが生成された場合に自動的に実行される処理である。
【０１３８】
図１８に示すように、中央制御部１０は、テーブル管理部３に、切抜画像生成部１５ｆにより生成された被写体切り抜き画像Pdの画像データを取得させた後（ステップＳ１０１）、当該被写体切り抜き画像Pdの画像データに対して顔検出処理を行って顔画像を特定させる（ステップＳ１０２）。
【０１３９】
その後、中央制御部１０は、テーブル管理部３に、特定された顔画像をテンプレートとして、当該顔画像の人物がアドレス帳テーブル３ｂに登録されているか否かを判定させる（ステップＳ１０３）。
ここで、顔画像の人物がアドレス帳テーブル３ｂに登録されていると判定されると（ステップＳ１０３；ＹＥＳ）、テーブル管理部３は、特定された人物を特定する文字列としての人物の名前と、被写体切り抜き画像Pdと、当該人物の電子メールアドレスとを対応付けて変換テーブル３ａに記憶する（ステップＳ１０４）。
一方、ステップＳ１０３にて、顔画像の人物がアドレス帳テーブル３ｂに登録されていないと判定されると（ステップＳ１０３；ＮＯ）、中央制御部１０は、当該被写体画像登録処理を終了させる。
【０１４０】
従って、変形例１の携帯端末によれば、メールの送り主及び受取先のうち、一方の人物がアドレス帳テーブル３ｂに登録されている場合に、上記実施形態２のようにアドレス登録処理や変換候補登録処理を行わなくとも、当該人物の被写体切り抜き画像Pdを自動的に変換テーブル３ａに記憶することができる。従って、文字列変換部２ａにより変換テーブル３ａに基づいて変換される人物を特定する文字列の表示態様の変換候補の内容として、自動的に被写体切り抜き画像Pdを設定することができ、使い勝手の良い携帯端末を提供することができる。
【０１４１】
なお、本発明は、上記実施形態１、２に限定されることなく、本発明の趣旨を逸脱しない範囲において、種々の改良並びに設計の変更を行っても良い。
【０１４２】
また、携帯端末１００、２００の構成は、上記実施形態１、２に例示したものは一例であり、これらに限られるものではない。即ち、メール作成装置として、携帯端末１００、２００を例示したが、これらに限られるものではい。例えば、メール作成のみを行うための操作入力部４を具備する文字列入力装置であっても良く、作成されたメールを他の携帯端末等の通信機器に送信して、当該通信機器を介して他の携帯端末等に送信させるようにしても良い。
つまり、郵便物として配達される手紙等のメールを作成するメール作成装置であっても良い。かかる場合には、電子メールアドレスではなく、送り主や受取人の住所や居所をアドレス情報として利用しても良い。
【０１４３】
加えて、上記実施形態１、２にあっては、変換手段、設定制御手段としての機能を、中央制御部１０の制御下にて、メール作成部２の文字列変換部２ａ、変換候補設定制御部２ｂが駆動することにより実現される構成としたが、これに限られるものではなく、中央制御部１０のＣＰＵによって所定のプログラム等が実行されることにより実現される構成としても良い。
即ち、プログラムを記憶するプログラムメモリ（図示略）に、変換処理ルーチン、設定制御処理ルーチンを含むプログラムを記憶しておく。そして、変換処理ルーチンにより中央制御部１０のＣＰＵを、入力手段により入力された文字列を、記憶手段に記憶されている変換テーブル３ａに基づいて変換候補の中から所定の表示内容に変換する変換手段として機能させるようにしても良い。また、設定制御処理ルーチンにより中央制御部１０のＣＰＵを、メールの送り主及び受取先のうち、少なくとも一方に対応するように、変換手段により変換テーブル３ａに基づいて変換される文字列の表示態様の変換候補の内容を設定する設定制御手段として機能させるようにしても良い。
【０１４４】
同様に、第１判定手段、第２判定手段、抽出手段についても、中央制御部１０のＣＰＵによって所定のプログラム等が実行されることにより実現される構成としても良い。
【０１４５】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【符号の説明】
【０１４６】
１００、２００  携帯端末
２      メール作成部
２ａ    文字列変換部
２ｂ    変換候補設定制御部
ｂ１    判定部
３      テーブル管理部
３ａ    変換テーブル
１１    撮像部
１５    画像処理部
１５ｆ  切抜画像生成部
１０    中央制御部
【図１】
2012014311.tif 000007
【図２】
2012014311.tif 000008
【図３】
2012014311.tif 000009
【図４】
2012014311.tif 000010
【図５】
2012014311.tif 000011
【図６】
2012014311.tif 000012
【図７】
2012014311.tif 000013
【図８】
2012014311.tif 000014
【図９】
2012014311.tif 000015
【図１０】
2012014311.tif 000016
【図１１】
2012014311.tif 000017
【図１２】
2012014311.tif 000018
【図１３】
2012014311.tif 000019
【図１４】
2012014311.tif 000020
【図１５】
2012014311.tif 000021
【図１６】
2012014311.tif 000022
【図１７】
2012014311.tif 000023
【図１８】
2012014311.tif 000024